【手続補正書】
【提出日】平成19年11月20日(2007.11.20)
【手続補正１】
【補正対象書類名】特許請求の範囲
【補正対象項目名】全文
【補正方法】変更
【補正の内容】
【特許請求の範囲】
【請求項１】
駆動源により正逆回転させられる駆動ギアと、
前記駆動ギアにて駆動されると共に前記駆動ギアの正逆回転により第１のポジションと第２のポジションに移動可能な揺動ギアと、
前記揺動ギアの回転中心を有し、前記揺動ギアを保持すると共に、前記揺動ギアと一体的に揺動し、前記揺動ギアを前記第１及び第２のポジションに移動可能な揺動ギア保持部材と、
前記揺動ギアの第１のポジションにおいて前記揺動ギアと連繋が外れ、第２のポジションにおいて前記揺動ギアと連繋される第１のギア列と、
前記第１のギア列を介して伝達される前記駆動源の動力により作動させられる第１の被駆動部と、
を備え、
前記第１の被駆動部を駆動中は、前記被駆動部を駆動する前記第１のギア列と前記揺動ギアの連繋が外れる方向に前記揺動ギアが移動できないように、前記揺動ギア保持部材を規制する規制手段を設けたことを特徴とする駆動伝達装置。
【請求項２】
前記揺動ギア保持部材は前記揺動ギアの回転中心軸であり、前記揺動ギア保持部材には揺動ギア回転中心位置から外周方向に向かって長穴部を設け、
前記揺動ギアが第２のポジションにいるときに、前記長穴部の揺動ギア回転中心に位置する側の端部で嵌合し、かつ、前記長穴部内面を嵌合支持しながら前記揺動ギア及び前記揺動ギア保持部材を一体的に揺動可能とする軸部材を設け、
前記規制手段は、前記揺動ギアが第２のポジションに移動したときに、前記軸部材を中心に前記揺動ギア保持部材は回転可能で、前記揺動ギアが第２のポジションに位置するときに、前記揺動ギアが第１のポジションから第２のポジションに移動するときに回転する方向に前記揺動ギア保持部材が前記揺動ギアと一体的に回転し、所定角度回転した位置で、前記揺動ギア保持部材の回転を規制するとともに前記揺動ギア保持部材に設けた前記長穴部の長手方向に移動できないように前記揺動ギア保持部材を規制することを特徴とする請求項１に記載の駆動伝達装置。
【請求項３】
前記規制手段は、前記揺動ギア保持部材上の、前記揺動ギア保持部材に設けた前記長穴部の長手方向略延長線上に設けられたボス部と、前記ボス部が係合する、前記揺動ギア保持部材を支持する前記軸部材を支持する側板に設けられた略Ｌ字状の穴部と、にて構成され、
前記略Ｌ字状の穴部の一辺は、前記揺動ギア保持部材を支持する前記軸部材中心を中心とする略Ｒ形状であり、前記略Ｒ形状の一辺により前記ボス部が規制されることで、前記揺動ギア保持部材の回転及び前記長穴部の長手方向の移動を規制することを特徴とする請求項２に記載の駆動伝達装置。
【請求項４】
前記駆動ギアにより前記揺動ギアが正逆回転させられる際、前記揺動ギア保持部材が前記揺動ギアと一体的に回転可能で、かつ、前記揺動ギア保持部材が前記規制手段によって回転規制された後は、前記揺動ギアが前記揺動ギア保持部材を中心に回転可能となるような回転負荷を前記揺動ギアに与える付勢手段を、前記揺動ギア保持部材に設けたことを特徴とする請求項１〜３のいずれかの項に記載の駆動伝達装置。
【請求項５】
駆動源により正逆回転させられる駆動ギアと、
前記駆動ギアにて駆動されると共に前記駆動ギアの正逆回転により第１のポジションと第２のポジションに移動可能な揺動ギアと、
前記揺動ギアの回転中心を有し、前記揺動ギアを保持すると共に、前記揺動ギアと一体的に揺動し、前記揺動ギアを前記第１及び第２のポジションに移動可能な揺動ギア保持部材と、
前記揺動ギアの第１のポジションにおいて前記揺動ギアと連繋が外れ、前記揺動ギアの第２のポジションにおいて前記揺動ギアと連繋される第１のギア列と、
前記第１のギア列を介して伝達される前記駆動源の動力により作動させられる第１の被駆動部と、
を備え、
前記揺動ギア保持部材には揺動ギア回転中心位置から外周方向に向かって長穴部を設け、前記揺動ギアが第２のポジションにいるときに、前記長穴部の揺動ギア回転中心に位置する側の端部で嵌合し、かつ、前記長穴部内面を嵌合支持しながら前記揺動ギア及び前記揺動ギア保持部材を一体的に揺動可能とする軸部材を設け、
前記揺動ギアが第２のポジションに移動したときに、前記軸部材を中心に前記揺動ギア保持部材は回転可能で、前記揺動ギアが第２のポジションに位置するときに、前記揺動ギアが第１のポジションから第２のポジションに移動するときに回転する方向に前記揺動ギア保持部材が前記揺動ギアと一体的に回転し、前記揺動ギア保持部材に設けた前記長穴部の長手方向が、前記駆動ギアの回転中心と前記揺動ギア保持部材を支持する前記軸部材の中心を結ぶ直線上に略一致し、かつ、前記長穴部が前記揺動ギア保持部材を支持する前記軸部材の中心から前記駆動ギアと逆方向に延びる側に位置した時点で、前記揺動ギア保持部材の回転を規制する規制手段を設けたことを特徴とする駆動伝達装置。
【請求項６】
前記規制手段は、前記揺動ギア保持部材上に設けられたボス部と、前記ボス部が係合する、前記揺動ギア保持部材を支持する前記軸部材を支持する側板に設けられた穴部と、にて構成されることを特徴とする請求項５に記載の駆動伝達装置。
【請求項７】
前記駆動ギアにより前記揺動ギアが正逆回転させられる際、前記揺動ギア保持部材が前記揺動ギアと一体的に回転可能で、かつ、前記揺動ギア保持部材が前記規制手段によって回転規制された後は、前記揺動ギアが前記揺動ギア保持部材を中心に回転可能となるような回転負荷を前記揺動ギアに与える付勢手段を、前記揺動ギア保持部材に設けたことを特徴とする請求項５又は６に記載の駆動伝達装置。
【請求項８】
駆動源により正逆回転させられる駆動ギアと、
前記駆動ギアにて駆動されると共に前記駆動ギアの正逆回転により第１のポジションと第２のポジションに移動可能な揺動ギアと、
前記揺動ギアの回転中心を有し、前記揺動ギアを保持すると共に、前記揺動ギアと一体的に揺動し、前記揺動ギアを前記第１及び第２のポジションに移動可能な揺動ギア保持部材と、
前記揺動ギアの第２のポジションにおいて前記揺動ギアと連繋される第１のギア列と、
前記第１のギア列を介して伝達される前記駆動源の動力により作動させられる第１の被駆動部と、
前記揺動ギアの第１のポジションにおいて前記揺動ギアと連繋される第２のギア列と、
前記第２のギア列を介して伝達される前記駆動源の動力により作動させられる第２の被駆動部と、
を備え、
前記第１或いは第２の被駆動部を駆動中は、前記被駆動部を駆動する第１或いは第２のギア列と揺動ギアの連繋が外れる方向に前記揺動ギアが移動できないように、前記揺動ギア保持部材を規制する規制手段を設けたことを特徴とする駆動伝達装置。
【請求項９】
前記揺動ギア保持部材は前記揺動ギアの回転中心軸であり、前記揺動ギア保持部材には揺動ギア回転中心位置から外周方向に向かって長穴部を設け、
前記揺動ギアが第２のポジションにいるときに、前記長穴部の揺動ギア回転中心に位置する側の端部で嵌合し、かつ、前記長穴部内面を嵌合支持しながら前記揺動ギア及び前記揺動ギア保持部材を一体的に揺動可能とする軸部材を設け、
前記規制手段は、前記揺動ギアが第２のポジションに移動したときに、前記軸部材を中心に前記揺動ギア保持部材は回転可能で、前記揺動ギアが第２のポジションに位置するときに、前記揺動ギアが第１のポジションから第２のポジションに移動するときに回転する方向に前記揺動ギア保持部材が前記揺動ギアと一体的に回転し、所定角度回転した位置で、前記揺動ギア保持部材の回転を規制するとともに前記揺動ギア保持部材に設けた前記長穴部の長手方向に移動できないように前記揺動ギア保持部材を規制することを特徴とする請求項８に記載の駆動伝達装置。
【請求項１０】
前記規制手段は、前記揺動ギア保持部材上の、前記揺動ギア保持部材に設けた前記長穴部の長手方向略延長線上に設けられたボス部と、前記ボス部が係合する、前記揺動ギア保持部材を支持する前記軸部材を支持する側板に設けられた略Ｌ字状の穴部と、にて構成され、
前記略Ｌ字状の穴部の一辺は、前記揺動ギア保持部材を支持する前記軸部材中心を中心とする略Ｒ形状であり、前記略Ｒ形状の一辺により前記ボス部が規制されることで、前記揺動ギア保持部材の回転及び前記長穴部の長手方向の移動を規制することを特徴とする請求項９に記載の駆動伝達装置。
【請求項１１】
前記駆動ギアにより前記揺動ギアが正逆回転させられる際、前記揺動ギア保持部材が前記揺動ギアと一体的に回転可能で、かつ、前記揺動ギア保持部材が前記規制手段によって回転規制された後は、前記揺動ギアが前記揺動ギア保持部材を中心に回転可能となるような回転負荷を前記揺動ギアに与える付勢手段を、前記揺動ギア保持部材に設けたことを特徴とする請求項８〜１０のいずれかの項に記載の駆動伝達装置。
【請求項１２】
駆動源により正逆回転させられる駆動ギアと、
前記駆動ギアにて駆動されると共に前記駆動ギアの正逆回転により第１のポジションと第２のポジションに移動可能な揺動ギアと、
前記揺動ギアの回転中心を有し、前記揺動ギアを保持すると共に、前記揺動ギアと一体的に揺動し、前記揺動ギアを前記第１及び第２のポジションに移動可能な揺動ギア保持部材と、
前記揺動ギアの第２のポジションにおいて前記揺動ギアと連繋される第１のギア列と、
前記第１のギア列を介して伝達される前記駆動源の動力により作動させられる第１の被駆動部と、
前記揺動ギアの第１のポジションにおいて前記揺動ギアと連繋される第２のギア列と、
前記第２のギア列を介して伝達される前記駆動源の動力により作動させられる第２の被駆動部と、
を備え、
前記揺動ギア保持部材には揺動ギア回転中心位置から外周方向に向かって長穴部を設け、
前記揺動ギアが第２のポジションにいるときに、前記長穴部の揺動ギア回転中心に位置する側の端部で嵌合し、かつ前記長穴部内面を嵌合支持しながら前記揺動ギア及び前記揺動ギア保持部材を一体的に揺動可能とする軸部材を設け、
前記揺動ギアが第２のポジションに移動したときに、前記軸部材を中心に前記揺動ギア保持部材は回転可能で、前記揺動ギアが第２のポジションに位置するときに、前記揺動ギアが第１のポジションから第２のポジションに移動するときに回転する方向に前記揺動ギア保持部材が前記揺動ギアと一体的に回転し、前記揺動ギア保持部材に設けた前記長穴部の長手方向が、前記駆動ギアの回転中心と前記揺動ギア保持部材を支持する前記軸部材の中心を結ぶ直線上に略一致し、かつ、前記長穴部が前記揺動ギア保持部材を支持する前記軸部材の中心から前記駆動ギアと逆方向に延びる側に位置した時点で、前記揺動ギア保持部材の回転を規制する規制手段を設けたことを特徴とする駆動伝達装置。
【請求項１３】
前記規制手段は、前記揺動ギア保持部材上に設けられたボス部と、前記ボス部が係合する、前記揺動ギア保持部材を支持する前記軸部材を支持する側板に設けられた穴部と、にて構成されることを特徴とする請求項１２に記載の駆動伝達装置。
【請求項１４】
前記駆動ギアにより前記揺動ギアが正逆回転させられる際、前記揺動ギア保持部材が前記揺動ギアと一体的に回転可能で、かつ、前記揺動ギア保持部材が前記規制手段によって回転規制された後は、前記揺動ギアが前記揺動ギア保持部材を中心に回転可能となるような回転負荷を前記揺動ギアに与える付勢手段を、前記揺動ギア保持部材に設けたことを特徴とする請求項１２又は１３に記載の駆動伝達装置。
【請求項１５】
像担持体上に現像剤像を形成し、前記現像剤像を記録媒体上に転写し、前記記録媒体上の現像剤像を加熱定着するために前記記録媒体を加熱加圧するための加熱加圧手段と、前記加熱加圧手段を駆動する駆動手段と、備えた加熱定着装置を有する画像形成装置において、
前記駆動手段は、請求項１〜１４のいずれかの項に記載の駆動伝達装置であることを特徴とする画像形成装置。
【手続補正２】
【補正対象書類名】明細書
【補正対象項目名】００１９
【補正方法】変更
【補正の内容】
【００１９】
第５の本発明は、
像担持体上に現像剤像を形成し、前記現像剤像を記録媒体上に転写し、前記記録媒体上の現像剤像を加熱定着するために前記記録媒体を加熱加圧するための加熱加圧手段と、前記加熱加圧手段を駆動する駆動手段と、備えた加熱定着装置を有する画像形成装置において、前記駆動手段は、上記いずれかの駆動伝達装置とされることを特徴とする画像形成装置である。